【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
モーターと、
前記モーターの回転に基づいて回転する駆動軸を有するワイパー駆動機構と、
前記駆動軸の軸線方向に沿って一列に配置され、液体吐出ヘッドのノズル面に摺接可能な第１ワイパー及び第２ワイパーと、を備え、
前記ワイパー駆動機構は、前記駆動軸の一方向への回転に基づいて、前記第１ワイパーを前記ノズル面に摺接させる、前記第１ワイパーのワイピング動作を行わせ、前記第１ワイパーの前記ワイピング動作が行われた後、前記第２ワイパーを前記ノズル面に摺接させる、前記第２ワイパーの前記ワイピング動作を行わせることを特徴とするワイパー装置。
【請求項２】
前記ワイパー駆動機構は、前記軸線方向に配列され、前記駆動軸の回転に基づいて回転する駆動ギヤ、および当該駆動ギヤと噛み合う間欠ギヤを有する、第１ギヤユニット及び第２ギヤユニットを備え、
前記第１ワイパーは、前記第１ギヤユニットが有する前記間欠ギヤの回転に基づいて前記ワイピング動作を行い、
前記第２ワイパーは、前記第２ギヤユニットが有する前記間欠ギヤの回転に基づいて前記ワイピング動作を行い、
前記第１ギヤユニット及び前記第２ギヤユニットは連結されており、前記駆動軸の前記一方向への回転に基づき、前記第１ギヤユニットの前記駆動ギヤ及び前記間欠ギヤが噛み合い、前記第１ギヤユニットの前記駆動ギヤ及び前記間欠ギヤが噛み合った後、前記第２ギヤユニットの前記駆動ギヤ及び前記間欠ギヤが噛み合うことを特徴とする請求項１に記載のワイパー装置。
【請求項３】
前記第１ワイパー及び第２ワイパーは、前記ワイピング動作として、前記間欠ギヤと一体に回転する回転カムの回転に基づき、前記液体吐出ヘッドのノズル面に摺接しない退避位置から前記ノズル面に摺接可能なワイピング位置に移動し、しかる後に前記退避位置に移動することを特徴とする請求項２に記載のワイパー装置。
【請求項４】
前記モーター、前記ワイパー駆動機構、前記第１ワイパー、および前記第２ワイパーを保持する第１ケースと、
当該第１ケースを前記軸線方向に移動可能な状態で支持する第２ケースと、を備え、
前記第１ケースが、前記駆動軸の第１回転方向への回転に基づき、前記軸線方向の一方側へ移動し、前記第１回転方向と逆向きの第２回転方向への前記駆動軸の回転に基づき、前記軸線方向の他方側へ移動する、ことを特徴とする請求項１ないし３のいずれかの項に記載のワイパー装置。
【請求項５】
前記駆動軸の回転に基づいて回転する第１スパイラルカムと、前記第２ケースに設けられ、前記第１スパイラルカムの外周面に設けられた第１螺旋状凹部に配置される第１カムピンとを有し、前記駆動軸の前記第１回転方向への回転に基づき前記第１ケースを前記軸線方向の前記一方側へ移動させる第１移動機構と、
前記駆動軸の回転に基づいて回転する第２スパイラルカムと、前記第２ケースに設けられ、前記第２スパイラルカムの外周面に設けられた第２螺旋状凹部に配置される第２カムピンとを有し、前記駆動軸の前記第２回転方向への回転に基づき前記第１ケースを前記軸線方向の前記他方側へ移動させる第２移動機構と、を備えることを特徴とする請求項４に記載のワイパー装置。
【請求項６】
前記第１ワイパーに摺接可能な第１ワイパークリーナーと、
前記第２ワイパーに摺接可能な第２ワイパークリーナーと、を備え、
前記駆動軸の前記一方向への回転に基づき、前記第１ワイパーの前記ワイピング動作と、前記第１ワイパークリーナーが前記第１ワイパーに摺接する前記第１ワイパークリーナーのクリーニング動作とが連動して行われ、
前記駆動軸の前記一方向への回転に基づいて、前記第２ワイパーの前記ワイピング動作と前記第２ワイパークリーナーが前記第２ワイパーに摺接する前記第２ワイパークリーナーのクリーニング動作とが連動して行われることを特徴とする請求項１に記載のワイパー装置。
【請求項７】
前記ワイパー駆動機構は、前記駆動軸の回転に基づいて回転する駆動ギヤとして第１駆動ギヤおよび第２駆動ギヤと、前記駆動ギヤに噛み合う間欠ギヤとして前記第１駆動ギヤと噛み合う第１間欠ギヤと、前記第２駆動ギヤと噛み合う第２間欠ギヤと、を備える第１ギヤユニットを備え、
前記第１間欠ギヤには、前記第１ワイパークリーナーを駆動する第１回転カムが一体に形成され、
前記第２間欠ギヤには、前記第１ワイパーを駆動する第２回転カムが一体に形成されていることを特徴とする請求項６に記載のワイパー装置。
【請求項８】
前記ワイパー駆動機構は、前記駆動ギヤとして第３駆動ギヤ及び第４駆動ギヤと、前記間欠ギヤとして前記第３駆動ギヤと噛み合い、第２ワイパークリーナーを駆動する第３回転カムが一体に形成される第３間欠ギヤ、および、前記第４駆動ギヤと噛み合い、前記第２ワイパーを駆動する第４回転カムが一体に形成される第４間欠ギヤと、を備える第２ギヤユニットを備え、
前記駆動軸が前記一方向に回転するとき、
前記第１間欠ギヤが前記第１駆動ギヤと噛み合い、当該第１駆動ギヤとの噛み合いが外れる前の所定の回転範囲で、当該第１間欠ギヤの回転に基づいて前記第２間欠ギヤが回転して前記第２駆動ギヤと噛み合い、
しかる後に、前記第２間欠ギヤと前記第２駆動ギヤとの噛み合いが外れる前の所定の回転範囲で、当該第２間欠ギヤの回転に基づき、前記第３間欠ギヤが回転して、前記第３駆動ギヤと噛み合い、
前記駆動軸が前記一方向と逆向きの他方向に回転するとき、
前記第４間欠ギヤが前記第４駆動ギヤと噛み合い、当該第４駆動ギヤとの噛み合いが外れる前の所定の回転範囲で、当該第４間欠ギヤの回転に基づいて前記第３間欠ギヤが回転させられて前記第３駆動ギヤと噛み合い、
しかる後に、前記第３間欠ギヤと前記第３駆動ギヤとの噛み合いが外れる前の所定の回転範囲で、当該第３間欠ギヤの回転に基づき、前記第２間欠ギヤが回転して、前記第２駆動ギヤと噛み合うことを特徴とする請求項７に記載のワイパー装置。
【請求項９】
前記間欠ギヤを前記駆動ギヤと噛み合う回転範囲から外れる方向に付勢する付勢部材を有することを特徴とする請求項２、３、７、および８のいずれかの項に記載のワイパー装置。
【請求項１０】
液体吐出ヘッドと、
請求項１ないし９のいずれかの項に記載のワイパー装置と、を有し、
当該ワイパー装置に設けられた前記第１ワイパー及び前記第２ワイパーは、前記軸線方向において互いに異なる部位の前記ノズル面に摺接可能であることを特徴とする液体吐出装置。
【請求項１１】
第１単位ヘッドと、前記軸方向において前記第１ヘッドに隣り合う第２単位ヘッドと、を備える液体吐出ヘッドと、
請求項４または５に記載のワイパー装置と、を有し、
当該ワイパー装置に設けられた前記第１ワイパーは、
前記第１ケースが可動範囲の一端に位置するとき、前記第１単位ヘッドをワイピング可能であり、
前記第１ケースが可動範囲の他端に位置するとき、前記第２単位ヘッドをワイピング可能であることを特徴とする液体吐出装置。
【請求項１２】
液体吐出ヘッドと、
当該液体吐出ヘッドのノズル面に摺接可能な第１ワイパー及び第２ワイパーと、当該第１ワイパー、および当該第２ワイパーを駆動するモーターとを備えるワイパー装置と、
前記第１ワイパー及び前記第２ワイパーに対向する位置を経由して前記液体吐出ヘッドを移動させるヘッド移動装置と、を有する液体吐出装置における前記液体吐出ヘッドのノズル面のワイピング方法であって、
前記モーターの一方向への回転に基づいて前記第１ワイパーを駆動し、前記第１ワイパーを駆動した後に前記第２ワイパーを駆動するシーケンス動作を行い、
当該シーケンス動作において、前記第１ワイパーまたは、前記第２ワイパーが前記ノズル面に摺接可能な位置にあるタイミングで、前記第１ワイパー及び前記第２ワイパーに対向する位置を前記液体吐出ヘッドが通過するように、前記ヘッド移動装置を制御することを特徴とするワイピング方法。